【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
距離ゲート式生理学的検知のための無線周波数パルスを生成する信号を発生する回路であって、
信号パルスを発生するように構成されたパルス発生器と、
無線周波数発振信号を発生するように構成された誘電体共振発振器と、
前記パルス発生器と前記誘電体共振発振器とに結合されたスイッチド回路であって、前記信号パルス及び前記無線周波数発振信号に従ってパルス状の無線周波数発振信号を発生するように構成された、スイッチド回路と、
を備える、回路。
【請求項２】
前記誘電体共振発振器は、誘電体共振器及びトランジスタを備える、請求項１に記載の回路。
【請求項３】
前記トランジスタは、ドレインとゲートとソースとを有し、前記誘電体共振発振器は、前記トランジスタのゲート及びドレインに結合される、請求項２に記載の回路。
【請求項４】
前記スイッチド回路はスイッチド広帯域発振器を備え、該スイッチド広帯域発振器は、前記誘電体共振発振器と注入同期するように構成される、請求項１乃至３のいずれか一項に記載の回路。
【請求項５】
前記スイッチド回路は、ドレインとゲートとソースとを有するトランジスタを備え、かつ該ドレインに結合されたフィードバック回路網を含む、請求項１乃至４のいずれか一項に記載の回路。
【請求項６】
減衰器及び整合回路網が、前記誘電体共振発振器の前記無線周波数発振信号出力と前記スイッチド回路の前記トランジスタのゲートとを、該スイッチド回路の前記トランジスタの前記ゲートに結合されたマイクロストリップ給電線によって結合する、請求項５に記載の回路。
【請求項７】
前記マイクロストリップ給電線は、直接給電構成である、請求項６に記載の回路。
【請求項８】
前記マイクロストリップ給電線は、間接給電構成である、請求項６に記載の回路。
【請求項９】
前記パルス発生器は、前記スイッチド回路の前記トランジスタのゲートに結合される、請求項１乃至８のいずれか一項に記載の回路。
【請求項１０】
ディザリング回路を更に備え、該ディザリング回路は前記パルス発生器に結合されて、該パルス発生器によって発生される信号パルスをディザリングする、請求項１乃至９のいずれか一項に記載の回路。
【請求項１１】
前記ディザリング回路は、同期ランプディザリング回路を備える、請求項１０に記載の回路。
【請求項１２】
前記スイッチド回路は、スイッチド増幅器回路を含む、請求項１乃至３のいずれか一項に記載の回路。
【請求項１３】
前記スイッチド増幅器回路は、ドレインとゲートとソースとを有するトランジスタを備え、該増幅器回路は、前記無線周波数発振信号を前記信号パルスと同期して増幅して、前記パルス状の無線周波数発振信号を発生するように構成される、請求項１２に記載の回路。
【請求項１４】
前記スイッチド増幅器回路の前記トランジスタのドレインは、前記パルス発生器からの前記信号パルスを受信するように結合される、請求項１３に記載の回路。
【請求項１５】
前記スイッチド増幅器回路の前記トランジスタのゲートは、前記誘電体共振発振器からの前記無線周波数発振信号を受信するように結合される、請求項１３又は１４に記載の回路。
【請求項１６】
前記スイッチド回路の出力に結合されて、前記パルス状の無線周波数発振信号を受け取り、該パルス状の無線周波数発振信号に従って、無線周波数パルスを、アンテナを介して放射するアンテナ給電装置と、該アンテナ給電装置に結合された、フィルタ及び１組の振幅検出器とを更に備え、該振幅検出器は、前記スイッチド増幅器回路から発生された信号に基づいて、前記アンテナ給電装置により受信される信号を検出する、請求項１３乃至１５のいずれか一項に記載の回路。
【請求項１７】
無線周波数運動センサであって、
無線周波数パルスを放射するように構成された無線周波数送信器と、
該放射された無線周波数パルスの反射パルスを受信するように構成された受信器と、
を備え、
前記無線周波数送信器は、請求項１乃至１６のいずれか一項に記載された前記回路を含み、
前記スイッチド回路は、前記パルス状の無線周波数発振信号を前記パルス発生器の前記信号パルスによって変調することにより、該パルス状の無線周波数発振信号を発生するように構成され、該パルス状の無線周波数発振信号の優位周波数は、前記誘電体共振発振器から導出される、
無線周波数運動センサ。
【請求項１８】
前記誘電体共振発振器の出力と前記スイッチド回路の入力との間に減衰器及び整合回路網を更に備える、請求項１７に記載の無線周波数運動センサ。
【請求項１９】
前記整合回路網は、前記スイッチド回路のトランジスタのゲートに結合されたマイクロストリップ給電線を備える、請求項１８に記載の無線周波数運動センサ。
【請求項２０】
前記パルス発生器は、論理ゲート回路を備える、請求項１７乃至１９のいずれか一項に記載の無線周波数運動センサ。
【請求項２１】
前記論理ゲート回路は、ＮＡＮＤゲートを備える、請求項２０に記載の無線周波数運動センサ。
【請求項２２】
前記論理ゲート回路の出力は、前記スイッチド回路のトランジスタのゲートに結合される、請求項２０又は２１に記載の無線周波数運動センサ。
【請求項２３】
前記信号パルスのオンセット時間は、全体信号パルス発生タイミングに対して変動する、請求項１７に記載の無線周波数運動センサ。
【請求項２４】
プロセッサを更に備え、該プロセッサは、前記放射された無線周波数パルスの受信された反射パルスを処理し、身体の動き、呼吸、睡眠、及び心拍数のうちの任意の１つ又は複数のインジケータを導出するように構成される、請求項１７至２３のいずれか一項に記載の無線周波数運動センサ。
【請求項２５】
プロセッサを有するフロー発生器を更に備え、該フロー発生器の前記プロセッサは、前記インジケータを処理するように構成され、前記フロー発生器、前記プロセッサ、前記送信器、及び前記受信器は、呼吸治療装置に結合されるように配置される、請求項２４に記載の無線周波数運動センサ。
【請求項２６】
前記無線周波数送信器はディザリング回路を更に備え、該ディザリング回路は前記パルス発生器に結合されて、該パルス発生器によって発生される信号パルスをディザリングする、請求項１７乃至２５のいずれか一項に記載の無線周波数運動センサ。 
【手続補正２】
【補正対象書類名】明細書
【補正対象項目名】００８０
【補正方法】変更
【補正の内容】
【００８０】
本明細書において挙げる実施例において、本明細書における技術の説明のために或る特定の変数が特定されている。場合によっては、これらの変数に対し特定の値を実装することができる。例えば、Ｎは、或る特定の動作を実行することができる回数を指すと説明されてきた。場合によっては、例えばＮは１２８とすることができる。一方、様々な事例に対し妥当な設計を提供するために、大きな範囲が適している場合がある（例えば、Ｎは１６〜３２７６８の範囲をとることができる）。同様に、ｔ０及びｔ１はオフセット時間と呼ばれてきた。そのようなオフセット時間は、例えば、５ｎｓ等、ナノ秒単位とすることができる。さらに、Δｔはターンオン時間を指すのに用いられてきた。そのようなターンオン時間も例えば５０ｎｓ等、ナノ秒単位とすることができる。場合によっては、本明細書において説明される発振器の「ＢＷ」帯域幅は、例えば約２０ＭＨｚ等、メガヘルツ単位とすることができる。
なお、出願当初の特許請求の範囲は以下の通りである。
（請求項１）
無線周波数運動センサであって、
無線周波数パルスを放射するように構成された無線周波数送信器と、
該放射された無線周波数パルスの反射パルスを受信するように構成された受信器と、
を備え、前記無線周波数送信器は、
信号パルスを生成するように構成されたパルス発生器と、
安定した無線周波数発振信号を生成するように構成された誘電体共振発振器と、
前記パルス発生器と前記誘電体共振発振器とに結合されたスイッチド回路であって、パルス状の無線周波数発振信号を生成するように構成され、該パルス状の無線周波数発振信号は、前記パルス発生器の前記信号パルスによって変調され、該パルス状の無線周波数発振信号の優位周波数は、前記誘電体共振発振器から導出される、スイッチド回路と、
を備える、無線周波数運動センサ。
（請求項２）
前記誘電体共振発振器は、誘電体共振器及びトランジスタを備える、請求項１に記載の無線周波数運動センサ。
（請求項３）
前記スイッチド回路は、切り替え可能無線周波数増幅器を備える、請求項１又は２に記載の無線周波数運動センサ。
（請求項４）
前記増幅器は、ドレインとゲートとソースとを有するトランジスタを備え、前記増幅器は、前記無線周波数発振信号を前記信号パルスと同期して増幅し、前記パルス状の無線周波数発振信号を生成するように構成される、請求項３に記載の無線周波数運動センサ。
（請求項５）
前記ドレインは、前記パルス発生器からの前記信号パルスを受信するように結合される、請求項４に記載の無線周波数運動センサ。
（請求項６）
前記増幅器のトランジスタのゲートは、前記誘電体共振発振器から前記無線周波数発振信号を受信するように結合される、請求項４又は５に記載の無線周波数運動センサ。
（請求項７）
前記スイッチド回路は広帯域発振器を備え、該広帯域発振器は、前記誘電体共振発振器と注入同期するように構成される、請求項１又は２に記載の無線周波数運動センサ。
（請求項８）
前記広帯域発振器は、ドレインとゲートとソースとを有するトランジスタを備え、前記広帯域発振器は、前記ドレインに結合されたフィードバック回路網を含む、請求項７に記載の無線周波数運動センサ。
（請求項９）
前記誘電体共振発振器の出力と前記スイッチド回路の入力との間に減衰器及び整合回路網を更に備える、請求項１乃至８のいずれか１項に記載の無線周波数運動センサ。
（請求項１０）
前記整合回路網は、前記スイッチド回路のトランジスタのゲートに結合されたマイクロストリップ給電線を備える、請求項９に記載の無線周波数運動センサ。
（請求項１１）
前記マイクロストリップ給電線は、直接給電構成である、請求項１０に記載の無線周波数運動センサ。
（請求項１２）
前記マイクロストリップ給電線は、間接給電構成である、請求項１０に記載の無線周波数運動センサ。
（請求項１３）
前記パルス発生器は、論理ゲート回路を備える、請求項１乃至１２のいずれか１項に記載の無線周波数運動センサ。
（請求項１４）
前記論理ゲート回路は、ＮＡＮＤゲートを備える、請求項１３に記載の無線周波数運動センサ。
（請求項１５）
前記論理ゲート回路の出力は、前記スイッチド回路のトランジスタのゲートと結合される、請求項１３又は１４に記載の無線周波数運動センサ。
（請求項１６）
前記信号パルスのオンセット時間は、全体信号パルス発生タイミングに対して変動する、請求項１又は２に記載の無線周波数運動センサ。
（請求項１７）
プロセッサを更に備え、該プロセッサは、前記放射された無線周波数パルスの受信された反射パルスを処理し、身体の動き、呼吸、睡眠及び心拍数のうちの任意の１つ又は複数のインジケータを導出するように構成される、請求項１乃至１６のいずれか１項に記載の無線周波数運動センサ。
（請求項１８）
呼吸治療装置を更に備え、該呼吸治療装置は、プロセッサを有するフロー発生器を備え、前記呼吸治療装置の前記プロセッサは、前記インジケータを処理するように構成される、請求項１７に記載の無線周波数運動センサ。
（請求項１９）
前記無線周波数送信器はディザリング回路を更に備え、該ディザリング回路は前記パルス発生器と結合され、該パルス発生器によって生成される信号パルスをディザリングする、請求項１乃至１８のいずれか１項に記載の無線周波数運動センサ。
（請求項２０）
前記ディザリング回路は、同期ランプディザリング回路を備える、請求項１９に記載の無線周波数運動センサ。
（請求項２１）
距離ゲート式生理学的検知のための無線周波数パルスを生じる信号を生成する回路であって、
信号パルスを生成するように構成されたパルス発生器と、
無線周波数発振信号を生成するように構成された誘電体共振発振器と、
前記パルス発生器と前記誘電体共振発振器とに結合されたスイッチド増幅器回路であって、前記信号パルス及び前記無線周波数発振信号に従ってパルス状の無線周波数発振信号を生成するように構成された、スイッチド増幅器回路と、
前記スイッチド増幅器回路の出力に結合されたアンテナ給電装置であって、生成されたパルス状の無線周波数発振信号を受け取り、該パルス状の無線周波数発振信号に従って無線周波数パルスを、アンテナを介して放射する、アンテナ給電装置と、
を備える、回路。
（請求項２２）
前記誘電体共振発振器は、誘電体共振器及びトランジスタを備える、請求項２１に記載の回路。
（請求項２３）
前記トランジスタは、ドレインとゲートとソースとを有し、前記誘電体共振器は、前記トランジスタのゲート及びドレインに結合される、請求項２２に記載の回路。
（請求項２４）
前記増幅器回路は、ドレインとゲートとソースとを有するトランジスタを備え、前記増幅器回路は、前記無線周波数発振信号を前記信号パルスと同期して増幅し、前記パルス状の無線周波数発振信号を生成するように構成される、請求項２２又は２３に記載の回路。
（請求項２５）
前記増幅器回路のトランジスタのドレインは、前記パルス発生器からの前記信号パルスを受信するように結合される、請求項２４に記載の回路。
（請求項２６）
前記増幅器回路のトランジスタのゲートは、前記誘電体共振発振器から前記無線周波数発振信号を受信するように結合される、請求項２４又は２５に記載の回路。
（請求項２７）
前記アンテナ給電装置に結合されるフィルタ及び１組の振幅検出器を更に備え、該振幅検出器は、前記スイッチド増幅器回路から生成された信号に基づいて前記アンテナ給電装置により受信された信号を検出する、請求項２２乃至２６のいずれか１項に記載の回路。
（請求項２８）
ディザリング回路を更に備え、該ディザリング回路は前記パルス発生器と結合され、該パルス発生器によって生成される信号パルスをディザリングする、請求項２１乃至２７のいずれか１項に記載の回路。
（請求項２９）
前記ディザリング回路は、同期ランプディザリング回路を備える、請求項２８に記載の回路。
（請求項３０）
距離ゲート式生理学的検知のための無線周波数パルスを生じる信号を生成する回路であって、
信号パルスを生成するように構成されたパルス発生器と、
無線周波数発振信号を生成するように構成された誘電体共振発振器と、
前記パルス発生器と前記誘電体共振発振器とに結合されたスイッチド回路であって、前記信号パルス及び前記無線周波数発振信号に従ってパルス状の無線周波数発振信号を生成するように構成された、スイッチド回路と、
前記スイッチド回路の出力に結合されたアンテナ給電装置であって、前記パルス状の無線周波数発振信号を受け取り、該パルス状の無線周波数発振信号に従って無線周波数パルスを、アンテナを介して放射する、アンテナ給電装置と、
を備える、回路。
（請求項３１）
前記誘電体共振発振器は、誘電体共振器及びトランジスタを備える、請求項３０に記載の回路。
（請求項３２）
前記トランジスタは、ドレインとゲートとソースとを有し、前記誘電体共振器は、前記トランジスタのゲート及びドレインに結合される、請求項３１に記載の回路。
（請求項３３）
前記スイッチド回路はスイッチド広帯域発振器を備え、該広帯域発振器は、前記誘電体共振発振器と注入同期するように構成される、請求項３０乃至３２のいずれか１項に記載の回路。
（請求項３４）
前記スイッチド回路は、ドレインとゲートとソースとを有するトランジスタを備え、前記スイッチド回路は、前記ドレインに結合されたフィードバック回路網を備える、請求項３０乃至３３のいずれか１項に記載の回路。
（請求項３５）
減衰器及び整合回路網は、前記誘電体共振発振器の前記無線周波数発振信号の出力を、前記スイッチド回路の前記トランジスタのゲートに結合されたマイクロストリップ給電線によって、前記スイッチド回路の前記トランジスタのゲートと結合する、請求項３４に記載の回路。
（請求項３６）
前記マイクロストリップ給電線は、直接構成である、請求項３５に記載の回路。
（請求項３７）
前記マイクロストリップ給電線は、間接構成である、請求項３５に記載の回路。
（請求項３８）
前記パルス発生器は、前記スイッチド回路のトランジスタのゲートと結合される、請求項３０乃至３７のいずれか１項に記載の回路。
（請求項３９）
ディザリング回路を更に備え、該ディザリング回路は前記パルス発生器と結合され、該パルス発生器によって生成される信号パルスをディザリングする、請求項３０乃至３８のいずれか１項に記載の回路。
（請求項４０）
前記ディザリング回路は、同期ランプディザリング回路を備える、請求項３９に記載の回路。